(57)【特許請求の範囲】
【請求項１】
シート状の軟質磁石板である基材の表面側に白色の樹脂材からなる樹脂シートを白色樹脂層として接着し、前記白色樹脂層の表面側にホワイトボードマーカーによる筆記およびイレーザーによる消去が可能なハードコーティングを施したフィルムを筆記画面層として接着した筆記ボードを形成し、外形形状が前記筆記ボードの外形形状と同形状で合致し且つ弾性を有した樹脂板の中央に略矩形形状の開口部を設けると共に、前記樹脂板における前記開口部の角部の位置に当該開口部側へ突出する突出部を設け、当該突出部にＬ字型のスリット部を形成することにより該Ｌ字型のスリット部の内側に舌片状部分を形成し、前記樹脂板の突出部は前記筆記ボードの筆記画面層と未接着な状態として該樹脂板の裏面と該筆記ボードの筆記画面層の表面とを接着することにより、前記筆記ボードの外縁に前記樹脂板で枠を構成すると共に、前記樹脂板のＬ字型のスリット部及び舌片状部分にて、該舌片状部分の弾性力で当該舌片状部分と前記筆記画面層との間隙に被保持部材を挟持させる保持部を構成して成ることを特徴とする保持部付きのホワイトボード。
【請求項２】
シート状の軟質磁石板である基材の表面側に白色の樹脂材からなる樹脂シートを白色樹脂層として接着し、前記白色樹脂層の表面側にホワイトボードマーカーによる筆記およびイレーザーによる消去が可能なハードコーティングを施したフィルムを筆記画面層として接着した筆記ボードを形成し、外形形状が前記筆記ボードの外形形状と同形状で合致し且つ弾性を有した樹脂板の中央に略矩形形状の開口部を設けると共に、前記樹脂板における前記開口部の角部の位置に当該開口部側へ突出する突出部を設け、当該突出部に逆Ｕ字型のスリット部を形成することにより該逆Ｕ字型のスリット部の内側に舌片状部分を形成し、前記樹脂板の突出部は前記筆記ボードの筆記画面層と未接着な状態として前記樹脂板の裏面と前記筆記ボードの筆記画面層の表面とを接着することにより、前記筆記ボードの外縁に前記樹脂板で枠を構成すると共に、前記樹脂板の逆Ｕ字型のスリット部及び舌片状部分にて、該舌片状部分の弾性力で当該舌片状部分と前記筆記画面層との間隙に被保持部材を挟持又は掛止させる保持部を構成して成ることを特徴とする保持部付きのホワイトボード。
【請求項３】
シート状の軟質磁石板である基材の表面側に白色の樹脂材からなる樹脂シートを白色樹脂層として接着し、前記白色層の表面側にホワイトボードマーカーによる筆記およびイレーザーによる消去が可能なハードコーティングを施したフィルムを筆記画面層として接着した筆記ボードを形成し、外形形状が前記筆記ボードの外形形状と同形状で合致し且つ弾性を有した樹脂板の中央に略矩形形状の開口部を設けると共に、前記樹脂板における前記開口部の角部の位置に当該開口部側へ突出する突出部を設け、前記樹脂板の突出部は前記筆記ボードの筆記画面層と未接着な状態として該樹脂板の裏面と該筆記ボードの筆記画面層の表面とを接着することにより、前記筆記ボードの外縁に前記樹脂板で枠を構成すると共に、前記樹脂板の突出部を、該突出部の弾性力で当該突出部と前記筆記画面層との間隙に被保持部材を挟持させる保持部としたことを特徴とする保持部付きのホワイトボード。
【発明の詳細な説明】
【０００１】
【発明の属する技術分野】
本発明は、ホワイトボードマーカーによる筆記およびイレーザーによる消去が可能なホワイトボードに関する。
【０００２】
【従来の技術】
従来、ホワイトボードは広く知られており、専用のマーカーとイレーザーを用いて筆記画面層に情報を筆記／消去するといった利用がなされている。また、筆記ボードに金属板等を積層した構造とし、小型の磁石を用いて筆記ボード上にメモ用紙やレシート、プリントなどの紙を止めておく掲示板としての利用もなされている。
しかしこれらのホワイトボードにおいては、メモ用紙等を掲示する際には磁石を一旦取り外してから紙を磁石で筆記ボードに止めるといった手順が必要であり、決して使い勝手の良いものではなかった。
【０００３】
また、図５に示す様に筆記ボードとは別体の枠を樹脂の射出成形や真空成形等で形成し、その枠のある箇所にフック部を設け、輪ゴムや鍵といったものをフック部に掛けておくといった商品も提供されている。
しかし前記フック部においては、ホワイトボードとは別体の枠やフック部を別部品で設けるため、部品点数が多く構造も複雑となるため高価となり、また商品形態として厚みが薄く出来ないといった問題があった。
【０００４】
筆記ボードにシート状の磁石板等を積層し、机やロッカーといった鉄製の対象物に磁気吸着力によって固着し、掲示を行うホワイトボードもある。
【０００５】
【発明が解決しようとする課題】
本発明は、前記問題を解決しようとするものである。すなわち、紙等の挟持や輪ゴム、鍵等の掛止が容易に可能であり、安価に製造が可能で、かつ商品形態として厚みを薄くできるホワイトボードを提供する事にある。
【０００６】
【課題を解決するための手段】
本発明は、
「１．シート状の軟質磁石板である基材の表面側に白色の樹脂材からなる樹脂シートを白色樹脂層として接着し、前記白色樹脂層の表面側にホワイトボードマーカーによる筆記およびイレーザーによる消去が可能なハードコーティングを施したフィルムを筆記画面層として接着した筆記ボードを形成し、外形形状が前記筆記ボードの外形形状と同形状で合致し且つ弾性を有した樹脂板の中央に略矩形形状の開口部を設けると共に、前記樹脂板における前記開口部の角部の位置に当該開口部側へ突出する突出部を設け、当該突出部にＬ字型のスリット部を形成することにより該Ｌ字型のスリット部の内側に舌片状部分を形成し、前記樹脂板の突出部は前記筆記ボードの筆記画面層と未接着な状態として該樹脂板の裏面と該筆記ボードの筆記画面層の表面とを接着することにより、前記筆記ボードの外縁に前記樹脂板で枠を構成すると共に、前記樹脂板のＬ字型のスリット部及び舌片状部分にて、該舌片状部分の弾性力で当該舌片状部分と前記筆記画面層との間隙に被保持部材を挟持させる保持部を構成して成ることを特徴とする保持部付きのホワイトボード。
２．シート状の軟質磁石板である基材の表面側に白色の樹脂材からなる樹脂シートを白色樹脂層として接着し、前記白色樹脂層の表面側にホワイトボードマーカーによる筆記およびイレーザーによる消去が可能なハードコーティングを施したフィルムを筆記画面層として接着した筆記ボードを形成し、外形形状が前記筆記ボードの外形形状と同形状で合致し且つ弾性を有した樹脂板の中央に略矩形形状の開口部を設けると共に、前記樹脂板における前記開口部の角部の位置に当該開口部側へ突出する突出部を設け、当該突出部に逆Ｕ字型のスリット部を形成することにより該逆Ｕ字型のスリット部の内側に舌片状部分を形成し、前記樹脂板の突出部は前記筆記ボードの筆記画面層と未接着な状態として前記樹脂板の裏面と前記筆記ボードの筆記画面層の表面とを接着することにより、前記筆記ボードの外縁に前記樹脂板で枠を構成すると共に、前記樹脂板の逆Ｕ字型のスリット部及び舌片状部分にて、該舌片状部分の弾性力で当該舌片状部分と前記筆記画面層との間隙に被保持部材を挟持又は掛止させる保持部を構成して成ることを特徴とする保持部付きのホワイトボード。
３．シート状の軟質磁石板である基材の表面側に白色の樹脂材からなる樹脂シートを白色樹脂層として接着し、前記白色層の表面側にホワイトボードマーカーによる筆記およびイレーザーによる消去が可能なハードコーティングを施したフィルムを筆記画面層として接着した筆記ボードを形成し、外形形状が前記筆記ボードの外形形状と同形状で合致し且つ弾性を有した樹脂板の中央に略矩形形状の開口部を設けると共に、前記樹脂板における前記開口部の角部の位置に当該開口部側へ突出する突出部を設け、前記樹脂板の突出部は前記筆記ボードの筆記画面層と未接着な状態として該樹脂板の裏面と該筆記ボードの筆記画面層の表面とを接着することにより、前記筆記ボードの外縁に前記樹脂板で枠を構成すると共に、前記樹脂板の突出部を、該突出部の弾性力で当該突出部と前記筆記画面層との間隙に被保持部材を挟持させる保持部としたことを特徴とする保持部付きのホワイトボード。」である。
【０００７】
【発明の実施の形態】
シート状の軟質磁石板としては、プラスチック、ゴム等のバインダー中に磁性粒子を混入・分散させ、シート状に加工したものが用いられる。この軟質磁石板は通常のゴム等の弾性体と同様の柔軟性を有するのみならず、着磁による磁気吸着力を有している。従って該軟質磁石板を基材として用いると、鉄製平滑面、例えば鉄製の机やロッカーの壁面、または表面が曲面である冷蔵庫の扉などに本発明のホワイトボードを固着し、掲示する事が出来る。
【０００８】
ハードコーティングとしては、紫外線硬化樹脂や熱硬化樹脂などをフィルム上に塗布、硬化したものが好ましい。該フィルムにおいては、ハードコーティングが施されている事により表面の平滑性が高く、傷がつきにくい為、ホワイトボードマーカーやイレーザーでの繰り返しの筆記／消去性が良好である。またフィルムからなるためその厚みが薄く、安価でかつ加工性が高いといった利点を有している。
【０００９】
本発明に用いられる樹脂板としては、ポリエチレン、ポリプロピレン、ポリスチレン、ポリ塩化ビニル等の熱可塑性樹脂やポリエステル、ポリカーボネート等の熱硬化性樹脂のシート等が好ましく用いられる。
樹脂板は前記筆記ボードの筆記画面層に、接着剤、粘着剤、両面テープ等を用いて接着、積層する。
【００１０】
本発明における樹脂板の保持部とは、図１および図２に示す様に、樹脂板６の中央に設けた略矩形形状の開口部６ａの角部の位置に当該開口部６ａ側へ突出するよう形成した突出部６ｂに、Ｌ字型のスリット部７ａと該Ｌ字型のスリット部７ａの内側に形成される舌片状部分７ｂとで構成した保持部７や、または図４に示す様に、樹脂板６の中央に設けた略矩形形状の開口部６０ａの角部の位置に当該開口部６０ａ側へ突出するよう形成した突出部６０ｂに、逆Ｕ字型のスリット部と該逆Ｕ字型のスリット部の内側に形成される舌片状部分とで構成した保持部９、あるいは同じく図４に示す様に開口部６０ａの角部の位置に、当該開口部６０ａ側へ突出するよう形成した突出部６０ｄ自体を保持部１１とする。
なお本発明では、樹脂板の裏面と筆記ボードの筆記画面層の表面とを接着する際に、樹脂板の突出部と筆記画面層とは未接着部として、保持部と筆記画面層との間に間隙ができるようにする。
【００１１】
樹脂板６に設けたＬ字型のスリット部７ａと舌片状部分７ｂとで構成する保持部７に、紙などの被保持部材８を保持する場合、図２および図３に示すように、まず被保持部材８の一部がＬ字型のスリット部７ａに差し込まれる。その状態のまま被保持部材８を筆記ボード４の表面に沿って動かす事により、被保持部材８は自然と前記樹脂板６の舌片状部分７ｂと筆記ボード４との間に挟持される。この状態において被保持部材８を手から離しても、被保持部材８は保持部７の弾性力によって挟持されたままである。
また被保持部材８をはずす際においては、被保持部材８を手で持ち引っ張る事により保持部７から容易にはずす事が出来る。
【００１２】
図４に示す様に、樹脂板６０に設けた逆Ｕ字型のスリット部９ａと舌片状部分９ｂとで構成する保持部９においても、前述のＬ字型のスリット部７ａと舌片状部分７ｂとで構成する保持部７の場合と同様の動作で紙などの被保持部材８を保持する事が出来る。被保持部材８をはずす際にもＬ字型のスリット部７ａにより形成された保持部７の場合と同様である。
さらには、逆Ｕ字型のスリット部９ａと舌片状部分９ｂとにより構成された保持部９は、図４に示したように舌片状部分９ｂの幅がせまく長さが長いため、紙等の厚みの薄いもののみならず、輪ゴム１０や鍵といった厚みの厚いものも保持部９に掛止することが出来る。
【００１３】
また図４に示す様に、保持部１１に紙等の被保持部材８を保持する場合は、被保持部材８の一部を、筆記ボード４の筆記画面層３と未接着部分である突出部６０ｄと筆記ボード４との間隙に差し込むだけでよい。この状態において被保持部材８を手から離しても、被保持部材８は保持部１１に挟持されたままである。
また被保持部材８をはずす際においても、被保持部材８を手で持ち引っ張る事により保持部から容易にはずす事が出来る。
これら一連の動作は非常に容易であるため、片手で、しかも素早く行うことが出来る。
【００１４】
本発明における各構成部材、すなわち基材、白色樹脂層、筆記画面層、樹脂板はいずれもシート状で薄いため、ホワイトボードの商品形態として厚みを薄く出来るので好ましい。
【００１５】
【実施例】
実施例１
実施例１を図１、図２及び図３に基づいて説明する。
図１は本発明の実施例１のホワイトボードの正面図である。
図２は保持部の使用状態を示す要部拡大図である。
図３は図２におけるＢ−Ｂ線部の断面図である。
まず、磁性粒子を塩素化ポリエチレン等の樹脂バインダー中に混入・分散した後０．５ｍｍの厚みに押出加工して、シート状の軟質磁石板からなる基材１とし、その上に白色の樹脂材からなる白色樹脂層２として、０．１ｍｍの厚みの白色塩化ビニルシート（日栄化工（株）製：ＮＥ−ｔａｋフィルム）を接着、貼り合わせた。
さらに白色樹脂層２上に筆記画面層３として紫外線硬化樹脂からなるハードコーティングを表面に施してなる０．０２５ｍｍの厚みのハードコートフィルム（リケンビニル工業（株）製：ハイガードフィルム）を接着、貼り合わせて、筆記ボード４を得た後、この筆記ボード４を図１に示すような四隅を丸めた矩形形状に金型で抜きとった。
また、０．７５ｍｍの厚みのポリプロピレン板（サンビック（株）製：ＰＰシート）を樹脂板６として、図１に示す様に外形形状が筆記ボード４と同寸法で枠幅が１０ｍｍとなるように中央に略矩形形状の開口部６ａを設け、開口部６ａの左下側の角部の位置に開口部６ａ側へ突出する突出部６ｂを設け、この突出部６ｂにＬ字型のスリット部７ａを形成することによって、保持部７を、Ｌ字型のスリット部７ａと、Ｌ字型のスリット部７ａの内側に形成される舌片状部分７ｂとで構成するように、金型で抜き取った。
前記筆記ボード４の筆記画面層３の表面の外縁部のみに両面テープ５を貼り付け、この上に筆記ボード４の外形と樹脂板６の外形とを合致させて筆記ボード４の外縁に樹脂板６で枠６ｃを形成すると共に筆記画面層３を開口部６ａから露出させ、且つ樹脂板６の突出部６ａを筆記ボード４の筆記画面層３と未接着な状態にして、樹脂板６の裏面と筆記ボード４の筆記画面層３の表面とを接着して本実施例のホワイトボードＡとした。
本実施例においては基材１がシート状の軟質磁石板であるため、例えばロッカーや机、壁等の鉄製金属面にホワイトボードＡを固着し、掲示する事が出来た。
また、樹脂板６の舌片状部分７ｂは筆記ボード４の筆記画面層３には直接接着・固定されていないため、樹脂板の舌片状部分７ｂと筆記ボード４との間隙に樹脂板６の舌片状部分７ｂの弾性を利用してメモ用紙８などを差し込み、挟持する事が出来た（図３参照）。
【００１６】
実施例２
実施例２を図４に基づいて説明する。
まず、基材（図示せず）、白色樹脂層（図示せず）および筆記画面層３を順次積層して筆記ボード４を実施例１と同様に四隅を丸めた矩形形状に作成した。
また、実施例１と同様のポリプロピレン板を樹脂板６０として、図４に示す様に外形形状が筆記ボード４と同形状で、中央に略矩形形状の開口部６０ａを設け、開口部６０ａの左下側の角部の位置に開口部６０ａ側へ突出する突出部６０ｂを設け、この突出部６０ｂに逆Ｕ字型のスリット部９ａを形成することによって、保持部９を、逆Ｕ字型のスリット部９ａと、逆Ｕ字型のスリット部９ａの内側に形成される舌片状部分９ｂとで構成するように、金型で抜き取った。
実施例１と同様に、前記筆記ボード４の筆記画面層３の表面の外縁部のみに両面テープ（図示せず）を貼り付け、この上に筆記ボード４の外形と樹脂板６の外形とが合致して筆記ボード４の外縁に樹脂板６０で枠６０ｃを形成すると共に筆記画面層３を開口部６０ａから露出させ、且つ樹脂板６０の裏面と筆記ボード４の筆記画面層３の表面とを樹脂板６０の突出部６０ａが未接着部分となるよう接着して本実施例のホワイトボードＣとした。
本実施例においても、樹脂板６の舌片状部分９ｂは筆記ボード４には直接接着・固定されていない。本実施例の樹脂板６の舌片状部分９ｂは幅が狭く長さが長いので、紙等の厚みの薄いものの挟持のみならず、図４に示す様に輪ゴム１０等の厚みの厚いものも保持部９に掛止することが出来た。
【００１７】
実施例３
次に、実施例３を図４に基づいて説明を行うが、前述の実施例２で説明した内容は省略する。実施例３では、樹脂板６の開口部６０ａの右上側の角部の位置に開口部６０ａ側へ突出する突出部６０ｄを設けてあり、この突出部６０ｄが保持部１１となるように、筆記ボード４の筆記画面層３とは未接着部分としてある。
本実施例においても実施例１と同様に、保持部１１に樹脂板６０の弾性を利用してメモ用紙８などを差し込み、挟持する事が出来た。
【００１８】
【発明の効果】
本発明の保持部付きのホワイトボードは、樹脂板によって形成される保持部に対して、紙や輪ゴム、鍵などの挟持や掛止を容易に行うことが可能であり、部品点数が比較的少なく、構造も比較的簡単なため安価に製造が可能で、かつ商品形態として厚みを薄くできる。
【図面の簡単な説明】
【図１】本発明の実施例１におけるホワイトボードの正面図。
【図２】図１における保持部の使用状態を示す要部拡大図。
【図３】図２の、Ｂ−Ｂ線部の断面図。
【図４】本発明の実施例２および３におけるホワイトボードの使用状態を示す正面図。
【図５】従来技術における、枠及びフック部を有するホワイトボードの斜視図。
【符号の説明】
Ａ    ホワイトボード
１    基材
２    白色樹脂層
３    筆記画面層
４    筆記ボード
５    両面テープ
６    樹脂板
６ａ  開口部
６ｂ  突出部
６ｃ  枠
７    保持部
７ａ  Ｌ字型のスリット部
７ｂ  舌片状部分
８    メモ用紙
Ｃ    ホワイトボード
６０    樹脂板
６０ａ  開口部
６０ｂ  突出部
６０ｃ  枠
６０ｄ  突出部
９    保持部
９ａ  逆Ｕ字型のスリット部
９ｂ  舌片状部分
１０  輪ゴム
１１  保持部
１２  筆記画面
１３  枠
１４  フック部
【図１】
0004229404.tif 000002
【図２】
0004229404.tif 000003
【図３】
0004229404.tif 000004
【図４】
0004229404.tif 000005
【図５】
0004229404.tif 000006